(57)【要約】【課題】被写体の耳を撮像装置により撮像する際に、耳と撮像装置の距離を所定の距離に保つ。【解決手段】撮像装置保持器具１は被写体８の耳の周囲にあてがわれる中央が空いた矩形の部材である接触部１１と、撮像装置９を保持する保持部１２と、接触部１１と保持部１２を連結する連結部１３を備える。ユーザは保持部１２に撮像装置９をあてがった状態で撮像装置保持器具１の接触部１１を被写体８の耳の周囲にあてがう。ユーザは、撮像装置９のモニタ等に表示される画像において被写体８の耳が中央位置となるように被写体８に対する撮像装置保持器具１の方向を調整する。そして、撮像装置９に対する撮像指示を行う。撮像装置保持器具１によれば、被写体８の耳と撮像装置９の距離が、連結部１３の軸方向の長さＤ、接触部１１および保持部１２のプレート１２２の厚さにより定まる距離となる。【選択図】図２
2017173598.tif 000002
【特許請求の範囲】
【請求項１】
被写体の頭部に接触する接触部と、
撮像方向が前記被写体の耳に向かう方向で撮像装置を保持する保持部と、
前記接触部と前記保持部を所定の距離で連結する連結部と
を備える撮像装置保持器具。
【請求項２】
前記連結部は外部からの光を透過する透過部を有する
請求項１に記載の撮像装置保持器具。
【請求項３】
前記連結部は前記接触部と前記保持部の間に配置される筒状の部材を有する
請求項１または２に記載の撮像装置保持器具。
【請求項４】
前記連結部は前記耳と前記撮像装置の距離を調整する調整機構を有する
請求項１乃至３のいずれか１項に記載の撮像装置保持器具。
【請求項５】
前記保持部は、撮像方向が前記被写体の左耳に向かう方向で撮像装置を保持する左保持部と、撮像方向が前記被写体の右耳に向かう方向で撮像装置を保持する右保持部とを有する
請求項１乃至４のいずれか１項に記載の撮像装置保持器具。
【発明の詳細な説明】
【技術分野】
【０００１】
本発明は、頭部伝達関数を特定するための画像を撮像する技術に関する。
【背景技術】
【０００２】
頭部伝達関数を用いて、受聴者に対し高い臨場感をもたらす音響を提供する技術がある。例えば、位置情報が付帯された音源信号に頭部伝達関数を畳み込んだバイノーラル信号を用いてヘッドフォン等により受聴者に音響を提供することで、受聴者に本来の音源方向を正しく知覚させることができる。
【０００３】
頭部伝達関数を用いて受聴者に本来の音源方向を正しく知覚させるバイノーラル信号を得るためには、受聴者の頭部の立体形状に応じた頭部伝達関数が正しく特定される必要がある。
【０００４】
受聴者に応じた頭部伝達関数を特定する技術を開示する文献として、例えば特許文献１がある。特許文献１には、被験者の耳の画像を複数の耳の基準画像の各々と比較し、被験者の耳の画像と類似する基準画像に関連付けられた頭部伝達関数を選択するシステムおよび方法が記載されている。
【先行技術文献】
【特許文献】
【０００５】
【特許文献１】特開２０１３−１６８９２４号公報
【発明の概要】
【発明が解決しようとする課題】
【０００６】
特許文献１には、被験者の耳の画像を撮影する方法として、被験者とは別のユーザがカメラで被験者の耳を撮影する方法が記載されている。特許文献１に記載のように、ユーザが単にカメラで被験者の耳を撮影する場合、カメラから耳までの距離が撮像毎に異なってしまう。その結果、例えば被験者の耳の画像を基準画像と比較する際に画像の縮尺率が異なってしまい、正しい比較結果が得られない場合がある。
【０００７】
これに対し本発明は、被写体の耳を撮像する際に、耳と撮像装置の距離を所定の距離に保つことを可能とする手段を提供する。
【課題を解決するための手段】
【０００８】
本発明は、被写体の頭部に接触する接触部と、撮像方向が前記被写体の耳に向かう方向で撮像装置を保持する保持部と、前記接触部と前記保持部を所定の距離で連結する連結部とを備える撮像装置保持器具を提供する。
【０００９】
上記の撮像装置保持器具において、前記連結部は外部からの光を透過する透過部を有してもよい。
【００１０】
また、上記の撮像装置保持器具において、前記連結部は前記接触部と前記保持部の間に配置される筒状の部材を有してもよい。
【００１１】
また、上記の撮像装置保持器具において、前記連結部は前記耳と前記撮像装置の距離を調整する調整機構を有してもよい。
【００１２】
また、上記の撮像装置保持器具において、前記保持部は、撮像方向が前記被写体の左耳に向かう方向で撮像装置を保持する左保持部と、撮像方向が前記被写体の右耳に向かう方向で撮像装置を保持する右保持部とを有してもよい。
【発明の効果】
【００１３】
本発明によれば、被写体の耳を撮像装置により撮像する際に、耳と撮像装置との距離が所定の距離に保たれる。
【図面の簡単な説明】
【００１４】
【図１】第１実施形態にかかる撮像装置保持器具を示した図。
【図２】第１実施形態にかかる撮像装置保持器具を用いて撮像装置により被写体の耳が撮像される状態を示した図。
【図３】第２実施形態にかかる撮像装置保持器具を用いて撮像装置により被写体の耳が撮像される状態を示した図。
【図４】第３実施形態にかかる撮像装置保持器具が被写体の頭部に装着された状態を正面から見た図。
【図５】第３実施形態にかかる撮像装置保持器具が被写体の頭部に装着された状態を左斜め上から見た図。
【図６】一変形例にかかる撮像装置保持器具を示した図。
【発明を実施するための形態】
【００１５】
［第１実施形態］
以下に本発明の第１実施形態にかかる撮像装置保持器具１を説明する。撮像装置保持器具１は被写体の耳の画像を撮像する撮像装置を保持する器具である。図１は撮像装置保持器具１の外観図である。また、図２は撮像装置保持器具１を用いて撮像装置９により被写体８の耳が撮像される状態を示した図である。なお、図２は被写体８の左耳が撮像される場合の撮像装置保持器具１の状態を示す。被写体８の右耳が撮像される場合の撮像装置保持器具１の状態は、図２に示す状態を左右反対にしたものとなる。
【００１６】
撮像装置保持器具１は、被写体８の頭部に接触する接触部１１と、撮像方向が被写体８の耳に向かう方向で撮像装置９を保持する保持部１２と、接触部１１と保持部１２とを連結する連結部１３を備える。
【００１７】
接触部１１は、中央が空いた矩形のフレーム１１１と、フレーム１１１の連結部１３が配置されている側と反対側の面に配置された緩衝材１１２を有する。フレーム１１１は硬質プラスチック、金属、木材等の剛性の高い素材でできている。緩衝材１１２はスポンジ、ゴム等の弾性の高い素材でできており、撮像装置保持器具１が被写体８の頭部にあてがわれたときにフレーム１１１が被写体８に痛み等を与えないようにする。
【００１８】
接触部１１は被写体８の耳の周囲において被写体８の頭部に接触するように被写体８にあてがわれる。接触部１１が被写体８の頭部に接触している状態において、被写体８の耳は接触部１１の中央の空いた部分に位置する。従って、撮像装置９による被写体８の耳の撮像が、接触部１１により妨げられることはない。
【００１９】
保持部１２は、撮像装置９を保持する。保持部１２は、撮像装置保持器具１の使用時に概ね水平となる向きに配置される板状体である基台１２１と、基台１２１の連結部１３が配置される側の縁辺から垂直上方向に起立するように配置される中央に孔の開けられた矩形のプレート１２２を有する。基台１２１およびプレート１２２は硬質プラスチック、金属、木材等の剛性の高い素材でできている。
【００２０】
基台１２１は、その上に載せられる撮像装置９を下方から支持する。従って、基台１２１は撮像装置保持器具１に対する撮像装置９の垂直方向における位置を決める役割を果たす。プレート１２２は、その側面に撮像装置９があてがわれた状態で、撮像装置保持器具１に対する撮像装置９の水平方向における位置を決める役割を果たす。
【００２１】
撮像装置９がプレート１２２にあてがわれた状態において、撮像装置９のレンズはプレート１２２の中央に開けられた孔の部分に位置する。従って、撮像装置９による被写体８の耳の撮像が、プレート１２２により妨げられることはない。
【００２２】
連結部１３は接触部１１と連結部１３の間に配置される筒状の部材である。連結部１３を筒の軸方向に垂直な面で切った断面の形状は矩形である。連結部１３の一方の端面はフレーム１１１に連結され、連結部１３の他方の端面はプレート１２２に連結されている。
【００２３】
接触部１１が被写体８の頭部にあてがわれた状態の被写体８の耳と撮像装置９の距離は、常に連結部１３の軸方向の長さＤと接触部１１およびプレート１２２の厚さにより定まる一定の距離となる。連結部１３の軸方向の長さＤとしては、撮像装置保持器具１を用いた撮像において、一般的な撮像装置が備えるズーム機能により撮像範囲がフレーム１１１の外形と略一致するように調整可能な範囲内の長さが選択されている。
【００２４】
連結部１３は筒の軸が概ねフレーム１１１とプレート１２２の中央を通過するようにその両端面の各々がフレーム１１１とプレート１２２に連結されている。従って、接触部１１が被写体８の耳の周囲にあてがわれた状態において、撮像装置９による被写体８の耳の撮像が連結部１３により妨げられることはない。
【００２５】
連結部１３は、アクリル、硬質塩化ビニル等の光を透過する硬質な素材でできている。従って、連結部１３はその全体が、被写体８の耳に向かう外部からの光を透過する透過部として機能する。このように連結部１３は透過部を有し、外部から被写体８の耳に向かう光を透過するため、撮像装置保持器具１の外部が十分に明るければ、被写体８の耳の撮像において連結部１３の内側における発光は不要である。
【００２６】
被写体８の耳を撮像したい場合、ユーザは撮像装置９を保持部１２にあてがい押さえた状態で撮像装置保持器具１を手に持ち、接触部１１を被写体８の耳の周囲にあてがう。その状態で、ユーザは撮像装置９のファインダまたはモニタに表示される撮像画像において中央に被写体８の耳が位置するように撮像装置保持器具１の方向を調整する。その後、ユーザが撮像装置９に対し撮像指示を行うと、撮像装置９により被写体８の耳の撮像が行われる。
【００２７】
なお、撮像装置保持器具１を用いて被写体８の耳の撮像を行うユーザは被写体８自身であってもよい。その場合、被写体８は撮像装置保持器具１を自分の頭部にあてがった状態で撮像装置９のファインダまたはモニタを見ることができない。従って、被写体８は自身の耳が中央に位置する撮像画像が得られるまで上述した撮像動作を繰り返す。
【００２８】
なお、撮像装置９がスマートフォン等の外部装置に撮像画像をリアルタイムに送信する機能を備える場合、被写体８は外部装置に表示される撮像画像において中央に自分の耳が位置するように撮像装置保持器具１の方向を調整して撮像指示を行えばよい。
【００２９】
上述した撮像装置保持器具１によれば、ユーザは撮像装置９を保持部１２にあてがい、接触部１１を被写体８の頭部にあてがうことで、被写体８の耳と撮像装置９の距離が所定の距離（連結部１３の軸方向の長さＤと、接触部１１およびプレート１２２の厚さにより定まる距離）に保たれた状態で耳の撮像を行うことができる。
【００３０】
従って、例えば、ユーザは撮像装置９の撮像範囲がフレーム１１１の外形と略一致するように撮像倍率を調整して撮像操作を行うことで、一定の撮像距離および撮像倍率で耳の撮像を行うことができる。そのため、異なる耳を撮像した場合、それらの撮像により得られる耳の画像の撮像倍率を揃えるための処理を要さない。また、ユーザがフレーム１１１の全体が撮像範囲に入り、かつ、耳の形状が十分に識別できる範囲内で自由な倍率で撮像を行ってもよい。この場合、異なる耳の撮像における撮像倍率が異なっていても、例えば画像におけるフレーム１１１の内枠の大きさを基準に異なる画像の撮像倍率を容易に揃えることができる。また、フレーム１１１の外側に毛髪等が写っていても、フレーム１１１の内側の領域を耳が写っている領域として容易に切り出すことができる。
【００３１】
［第２実施形態］
以下に本発明の第２実施形態にかかる撮像装置保持器具２を説明する。撮像装置保持器具２の構成部の一部は、第１実施形態にかかる撮像装置保持器具１が備える構成部と共通している。以下、撮像装置保持器具２の構成部のうち、撮像装置保持器具１の構成部と共通するものには、撮像装置保持器具１の構成部の符号と同じ符号を用いる。
【００３２】
図３は撮像装置保持器具２を用いて撮像装置９により被写体８の左耳が撮像される状態を示した図である。撮像装置保持器具２は、接触部１１と、保持部１２と、連結部２３を備える。すなわち、撮像装置保持器具２は撮像装置保持器具１が備える連結部１３とは異なる構成の連結部２３を備える点で、撮像装置保持器具１と異なっている。
【００３３】
撮像装置保持器具２が備える連結部２３は、接触部１１と保持部１２の間に配置され、それらを連結する点で連結部１３と共通している。しかしながら、連結部２３は筒状の部材ではなく、複数の棒状の部材である支柱２３１Ａ、支柱２３１Ｂ、支柱２３１Ｃおよび支柱２３１Ｄで構成される。以下、これらの複数の支柱を支柱２３１と総称する。なお、支柱２３１の本数は４本に限られず、接触部１１と連結部１３の位置関係が支柱２３１によって維持される限り、その本数は１本以上のいずれの本数であってもよい。以下、支柱２３１の各々の長さをＤとする。
【００３４】
図３の例においては、４本の支柱２３１は各々、フレーム１１１およびプレート１２２の互いに対向する角部を橋渡しするように、その両端の各々がフレーム１１１およびプレート１２２に連結されている。このように、支柱２３１は被写体８の耳の周囲にあてがわれるフレーム１１１と、撮像装置９のレンズの周囲にあてがわれるプレート１２２とに連結されているため、撮像装置９による被写体８の耳の撮像が支柱２３１により妨げられることはない。
【００３５】
また、支柱２３１の周りは光が自由に通過できる。従って、外部から被写体８の耳に向かう光が連結部２３により遮られることはなく、撮像装置保持器具１の外部が十分に明るければ、被写体８の耳の撮像において連結部２３の内側における発光は不要である。
【００３６】
上述した撮像装置保持器具２によれば、ユーザは撮像装置９を保持部１２にあてがい、接触部１１を被写体８の頭部にあてがうことで、被写体８の耳と撮像装置９の距離が所定の距離（連結部２３の軸方向の長さＤと、接触部１１およびプレート１２２の厚さにより定まる距離）に保たれた状態で耳の撮像を行うことができる。
【００３７】
［第３実施形態］
以下に本発明の第３実施形態にかかる撮像装置保持器具３を説明する。撮像装置保持器具３は被写体の頭部に装着され、被写体の左耳を撮像する撮像装置と、被写体の右耳を撮像する撮像装置を保持する器具である。
【００３８】
図４は左右に撮像装置９２Ｌおよび撮像装置９２Ｒが取り付けられた状態で被写体８の頭部に装着された撮像装置保持器具３を正面から見た図である。また、図５は同じく被写体８の頭部に装着された撮像装置保持器具３を左斜め上から見た図である。全体の構成を見やすくするため、図４および図５において、被写体８の頭部はその外郭の一部のみを二点鎖線で示す。
【００３９】
撮像装置保持器具３は、被写体８の頭部に接触する接触部３１と、撮像方向が被写体８の左耳に向かう方向で撮像装置９２Ｌを保持する左保持部３２Ｌと、撮像方向が被写体８の右耳に向かう方向で撮像装置９２Ｒを保持する右保持部３２Ｒと、接触部３１と左保持部３２Ｌを所定の距離で連結する連結部３３Ｌと、接触部３１と右保持部３２Ｒを所定の距離で連結する連結部３３Ｒを備える。
【００４０】
以下、撮像装置９２Ｌと撮像装置９２Ｒを撮像装置９２と総称する。また、左保持部３２Ｌと右保持部３２Ｒを保持部３２と総称する。また、連結部３３Ｌと連結部３３Ｒを連結部３３と総称する。
【００４１】
接触部３１は、被写体８の額を通り頭部を水平方向に一周する位置に配置されるヘッドベルト３１１と、ヘッドベルト３１１に連結され被写体８の頭部左側面、頭頂部、頭部右側面を通る位置に配置されるヘッドバンド３１２と、ヘッドベルト３１１の左側面に設けられた調整機構３１３Ｌと、ヘッドベルト３１１の右側面に設けられた調整機構３１３Ｒを有する。
【００４２】
ヘッドベルト３１１は図示せぬ調整機構を有し、当該調整機構によりユーザはヘッドベルト３１１の長さを調整することができる。また、ヘッドバンド３１２は図示せぬ調整機構を有し、当該調整機構によりユーザはヘッドバンド３１２の長さを調整することができる。
【００４３】
ヘッドベルト３１１は、例えば布、皮、可撓性プラスチック等の柔軟性のある素材でできている。ヘッドベルト３１１は、撮像装置保持器具３が被写体８の頭部に装着された状態で被写体８の額周りに適度な強さで接触し、被写体８の頭部に対する撮像装置保持器具３の水平方向における位置を決める役割を果たす。
【００４４】
ヘッドバンド３１２は、例えば布、皮、可撓性プラスチック等の柔軟性のある素材でできていてもよいし、金属、硬質プラスチック等の剛性の高い素材でできていてもよい。ヘッドバンド３１２は、撮像装置保持器具３が被写体８の頭部に装着された状態で被写体８の頭頂部に上から接触し、被写体８の頭部に対する撮像装置保持器具３の垂直方向における位置を決める役割を果たす。
【００４５】
調整機構３１３Ｌは、後述する連結部３３Ｌが有するアーム３３１Ｌのヘッドベルト３１１に対する前後方向における位置を調整するとともに、アーム３３１Ｌの垂直方向を軸とする軸周りの位置を調整するための機構である。また、調整機構３１３Ｒは、後述する連結部３３Ｒが有するアーム３３１Ｒのヘッドベルト３１１に対する前後方向における位置を調整するとともに、アーム３３１Ｒの垂直方向を軸とする軸周りの位置を調整するための機構である。
【００４６】
左保持部３２Ｌは、撮像装置９２Ｌと連結されるブロック３２１Ｌと、連結部３３Ｌと連結されるブロック３２２Ｌと、ブロック３２１Ｌとブロック３２２Ｌの距離を調整する調整機構３２３Ｌを備える。ブロック３２１Ｌとブロック３２２Ｌは連結部３３Ｌから下方に垂れ下がるように配置されている。ブロック３２１Ｌおよびブロック３２２Ｌは、硬質プラスチック、金属等の剛性の高い素材でできている。
【００４７】
調整機構３２３Ｌは、例えば金属製のガイドピンと固定ネジを有する。調整機構３２３Ｌの固定ネジが緩められると、ブロック３２１Ｌは調整機構３２３Ｌのガイドピンに沿ってブロック３２２Ｌに対し上下方向に自由に移動可能となる。ユーザは固定ネジを緩めてブロック３２１Ｌの上下方向における位置を調整した後、固定ネジを締めてブロック３２１Ｌの位置を固定する。調整機構３２３Ｌは左保持部３２Ｌに保持される撮像装置９２Ｌの上下方向の位置を調整する役割を果たす。
【００４８】
図４において右側の矢印は撮像装置９２Ｌの撮像方向を示す。このように、左保持部３２Ｌは、撮像方向が被写体８の左耳に向かう方向で撮像装置９２Ｌを保持する。
【００４９】
連結部３３Ｌは、「Ｌ」字形状に屈曲した棒状の部材であるアーム３３１Ｌと、アーム３３１Ｌとブロック３２２Ｌの連結部に設けられた調整機構３３２Ｌを有する。アーム３３１Ｌは、例えば金属製である。アーム３３１Ｌはヘッドベルト３１１の左側面において、調整機構３１３Ｌを介してヘッドベルト３１１に連結されている。調整機構３１３Ｌはヘッドベルト３１１がその中を通るバックルを有し、ユーザはヘッドベルト３１１上における調整機構３１３Ｌの位置を調整することができる。ユーザは調整機構３１３Ｌの位置を調整することで、調整機構３１３Ｌに連結されたアーム３３１Ｌに取り付けられた撮像装置９２Ｌの前後方向における位置を調整することができる。
【００５０】
また、アーム３３１Ｌは調整機構３１３Ｌに設けられた穴に対し、屈曲された一方の端部が上から下へと差し込まれた状態で調整機構３１３Ｌに連結されている。そのため、アーム３３１Ｌは垂直方向の軸周りに回転することができる。調整機構３１３Ｌは自由に回転可能なアーム３３１Ｌを任意の位置で固定する固定ネジを有している。ユーザは、調整機構３１３Ｌが有する固定ネジを緩めた状態でアーム３３１Ｌの位置を調整し、当該固定ネジを締め付けることで、アーム３３１Ｌに取り付けられた撮像装置９２Ｌの撮像方向を調整することができる。
【００５１】
アーム３３１Ｌは調整機構３１３Ｌに設けられた穴に差し込まれた部分から屈曲し、左方向へと延伸している。この左方向へと延伸する部分が、ブロック３２２Ｌに設けられた連結穴に差し込まれた状態で、アーム３３１Ｌに左保持部３２Ｌが連結されている。従って、左保持部３２Ｌはアーム３３１Ｌ上を左右方向に自由に移動することができる。
【００５２】
アーム３３１Ｌと左保持部３２Ｌの連結部に配置されている調整機構３３２Ｌは自由に移動可能な左保持部３２Ｌを任意の位置で固定する固定ネジを有している。ユーザは、調整機構３３２Ｌが有する固定ネジを緩めた状態で左保持部３２Ｌの位置を調整し、当該固定ネジを締め付けることで、左保持部３２Ｌに取り付けられた撮像装置９２Ｌの左右方向における位置、すなわち、左耳と撮像装置９２Ｌの距離を調整することができる。なお、アーム３３１Ｌの左方向へと延伸する部分には目盛が刻まれており、ユーザはその目盛に基づき、左耳と撮像装置９２Ｌの距離を確認することができる。
【００５３】
接触部３１が有する調整機構３１３Ｒの構成は、左右反対である点を除き、上述した調整機構３１３Ｌの構成と同じである。また、右保持部３２Ｒの構成は、左右反対である点を除き、上述した左保持部３２Ｌの構成と同じである。また、連結部３３Ｒの構成は、左右反対である点を除き、上述した連結部３３Ｌの構成と同じである。
【００５４】
ユーザは、被写体８の頭部のサイズに応じてヘッドベルト３１１およびヘッドバンド３１２の長さを調整する。またユーザは、被写体８の左耳の真上位置にアーム３３１Ｌと調整機構３１３Ｌの連結点が位置するように、ヘッドベルト３１１上における調整機構３１３Ｌの位置を調整する。またユーザは、被写体８の右耳の真上位置にアーム３３１Ｒと調整機構３１３Ｒの連結点が位置するように、ヘッドベルト３１１上における調整機構３１３Ｒの位置を調整する。ユーザは、これらの調整を終えた撮像装置保持器具３を被写体８の頭部に装着させる。
【００５５】
続いて、ユーザは調整機構３２３Ｌの固定ネジを緩めて、撮像装置９２Ｌのファインダまたはモニタに表示される撮像画像において被写体８の左耳が上下方向の中央に位置するように撮像装置９２Ｌの上下位置を調整した後、当該固定ネジを締め付ける。また、ユーザは調整機構３１３Ｌの固定ネジを緩めて、撮像装置９２Ｌが被写体８の左耳の左方向に正しく位置するように撮像装置９２Ｌの方向を調整した後、当該固定ネジを締め付ける。
【００５６】
なお、左耳と撮像装置９２Ｌの距離は通常、予め決定された距離から変更されないため、ユーザは調整機構３３２Ｌを用いた撮像装置９２Ｌの左右方向における位置の調整を行う必要はない。ただし、例えば何らかの理由で撮像装置９２Ｌの左右方向における位置がずれているような場合、ユーザは調整機構３３２Ｌの固定ネジを緩めて左保持部３２Ｌの位置を調整した後、当該固定ネジを締める。
【００５７】
上記の調整が完了した状態で、ユーザが撮像装置９２Ｌに対し撮像指示を行うと、撮像装置９２Ｌにより被写体８の左耳の撮像が行われる。
【００５８】
ユーザは、撮像装置９２Ｒに関しても、上述した撮像装置９２Ｌと同様の位置および撮像方向の調整を行った後、撮像指示を行う。その結果、撮像装置９２Ｒにより被写体８の右耳の撮像が行われる。
【００５９】
上述した撮像装置保持器具３によれば、ユーザは被写体８の耳と撮像装置９２の距離を、例えば予め定められた距離となるように調整することができる。従って、被写体８の耳と撮像装置９２の距離が所定の距離に保たれた状態で耳の撮像を行うことができる。
【００６０】
また、撮像装置保持器具３によれば、ユーザは撮像装置９２の撮像方向を調整することができる。従って、被写体８の耳に対する撮像方向が所定の撮像方向（例えば耳に正対する方向）に保たれた状態で耳の撮像を行うことができる。
【００６１】
［変形例］
以下に上述した実施形態の変形例を説明する。なお、以下の変形例の２以上が組み合わされてもよい。
【００６２】
（１）上述した第１実施形態にかかる撮像装置保持器具１が備える連結部１３が被写体８の耳と撮像装置９の距離を調整する調整機構を有してもよい。例えば、連結部１３が外側筒部材と内側筒部材を有する構成とし、外側筒部材の内側を内側筒部材が軸方向にスライド可能とし、それらの相対位置を固定する固定ネジを設けることで、連結部１３に上記の調整機構を持たせることができる。
【００６３】
また、上述した第２実施形態にかかる撮像装置保持器具２が備える連結部２３が被写体８の耳と撮像装置９の距離を調整する調整機構を有してもよい。例えば、支柱２３１の各々が互いに長手方向にスライドする２本の棒状部材を有する構成とし、それらの相対位置を固定する固定ネジを設けることで、連結部２３に上記の調整機構を持たせることができる。
【００６４】
（２）上述した実施形態において示した撮像装置保持器具の具体的な形状、サイズ、材料等はあくまで例示であって、様々に変更可能である。例えば、図６は第１実施形態にかかる撮像装置保持器具１と一部、形状の異なる部材を備える撮像装置保持器具４を例示した図である。図６において、撮像装置保持器具４が異なる部材のうち撮像装置保持器具１が備える部材と共通する部材には撮像装置保持器具１において用いられている符号と同じ符号が用いられている。
【００６５】
撮像装置保持器具１が備える保持部１２のプレート１２２は撮像装置９のレンズが配置される位置に孔が開けられた矩形の板状部材であり、連結部１３の一方の端面の全体を覆う。これに対し、撮像装置保持器具４が備える保持部４２のプレート４２２は孔が開けられていない矩形の板状部材であり、連結部４３の一方の端面の一部しか覆わない。撮像装置９が基台１２１の上に載せ置かれた状態で、撮像装置９のレンズはプレート４２２の上に位置する。そのため、プレート４２２により撮像装置９による撮像が妨げられることはない。このように、撮像装置９の位置決めを行う部材の形状としては、基台１２１の上に載せ置かれた撮像装置９のレンズの前方を塞がない限り、様々な形状が採用され得る。例えば、「Ｕ」の字を上下逆にした形状のプレートが、撮像装置９の位置決めを行う部材として採用されてもよい。
【００６６】
また、撮像装置保持器具１が備える連結部１３は、軸方向に垂直な面で切った断面の形状が矩形の筒状部材である。これに対し、撮像装置保持器具４が備える連結部４３は、軸方向に垂直な面で切った断面の形状が円形の筒状部材である。このように、被写体８の頭部にあてがわれる接触部と撮像装置９を保持する保持部とを連結する連結部の形状としては、接触部と保持部とを所定の距離で保持し、かつ、撮像装置９の撮像方向を塞がない限り、様々な形状が採用され得る。
【００６７】
（３）上述した実施形態において示した撮像装置保持器具が備える部材の一部が省略されたり、上述した実施形態において示した撮像装置保持器具が備えない部材が追加されたりしてもよい。例えば、撮像装置保持器具３が備える複数の調整機構のうち、耳の画像に及ぼす影響が少ない位置の調整機構や調整の頻度が少ない機構は省略されてもよい。また、例えば、撮像装置保持器具１または撮像装置保持器具２が、保持部１２に撮像装置９を固定するためのゴムバンド、板バネ等の部材を備えてもよい。この場合、ユーザが撮像装置９を手で押さえなくても、撮像装置９の位置ずれや落下が生じない。
【００６８】
（４）上述した実施形態において示した撮像装置保持器具の具体的な使用方法はあくまで例示であって、様々に変更可能である。例えば、撮像装置保持器具３の使用時の各調整機構を用いた調整の順序や、左右の撮像の順序等はユーザにより自由に変更されてよい。また、上述した撮像装置保持器具３の使用方法の説明において、アーム３３１Ｌおよびアーム３３１Ｒの方向は、被写体８の耳に撮像装置９２が正対する位置となるように調整されるものとした。被写体８の耳に対する撮像装置９２の撮像方向は耳に正対する方向に限られない。例えば、ユーザは同じ耳を異なる方向から撮像した複数の画像を得たい場合、アーム３３１Ｌおよびアーム３３１Ｒの方向を様々に変更しながら撮像装置９２による撮像を行えばよい。
【符号の説明】
【００６９】
１…撮像装置保持器具、２…撮像装置保持器具、３…撮像装置保持器具、４…撮像装置保持器具、８…被写体、９…撮像装置、１１…接触部、１２…保持部、１３…連結部、２３…連結部、３１…接触部、３２…保持部、３３…連結部、４２…保持部、４３…連結部、９２…撮像装置、１１１…フレーム、１１２…緩衝材、１２１…基台、１２２…プレート、２３１…支柱、３１１…ヘッドベルト、３１２…ヘッドバンド、３１３…調整機構、３２１…ブロック、３２２…ブロック、３２３…調整機構、３３１…アーム、３３２…調整機構、４２２…プレート
【図１】
2017173598.tif 000003
【図２】
2017173598.tif 000004
【図３】
2017173598.tif 000005
【図４】
2017173598.tif 000006
【図５】
2017173598.tif 000007
【図６】
2017173598.tif 000008